(57)【特許請求の範囲】
【請求項１】
バスケットボールのトレーニングに役立つように使用者の掌に固定される、バスケットボールのトレーニングに用いられるパームパッドデバイスにおいて、
充気又は排気により、サイズの調整が可能である弾性パッドを有してバスケットボールとの間のスペーサーとなるスペーサーパッド構造と、
前記スペーサーパッド構造と組合わせることにより、前記スペーサーパッド構造を前記使用者の掌に固定させるための固定構造と、
を備えており、
前記弾性パッドは、厚パッド及び幅パッドをさらに備えており、前記厚パッドと前記幅パッドとが一体化されており、且つそれぞれ充気孔及び排気孔を有していることを特徴とするバスケットボールのトレーニングに用いられるパームパッドデバイス。
【請求項２】
前記固定構造に設けられ、前記掌の移動データを検知し記録するための検知記録器をさらに備えていることを特徴とする請求項１に記載のバスケットボールのトレーニングに用いられるパームパッドデバイス。
【請求項３】
前記検知記録器は、前記掌の移動軌跡又は回転速度を検知するための加速度検知ユニットと、
前記掌と地面とによって形成された角度を検知するための方向検知ユニットと、
前記掌の移動データを表示させるための表示ユニットと、
検知又は記録された前記移動データを有線伝送又は無線伝送により記録設備に伝送するための伝送ユニットと、
前記移動データに基づいて対応する音声を発するためのスピーカユニットと、
をさらに備えていることを特徴とする請求項２に記載のバスケットボールのトレーニングに用いられるパームパッドデバイス。
【請求項４】
前記厚パッド及び前記幅パッドは、ガスが充填されることで前記弾性パッドのサイズを調整するための充気孔式構造又は押圧式充気構造を具備することを特徴とする請求項１に記載のバスケットボールのトレーニングに用いられるパームパッドデバイス。
【請求項５】
前記スペーサーパッド構造は、手を握った際の前記スペーサーパッド構造の圧縮を緩衝するための緩衝間隙を有し、前記固定構造は、手を握った際の前記固定構造の圧縮を緩衝するための弾性間隙を有していることを特徴とする請求項１に記載のバスケットボールのトレーニングに用いられるパームパッドデバイス。
【請求項６】
前記スペーサーパッド構造は、前記固定構造が貫設して組合わされるための貫通孔を有していることを特徴とする請求項１に記載のバスケットボールのトレーニングに用いられるパームパッドデバイス。
【請求項７】
前記固定構造は、固定用の係止部及び対応する係止孔を有し、前記係止部に滑り防止機能を有する滑り防止部が設けられていることを特徴とする請求項１に記載のバスケットボールのトレーニングに用いられるパームパッドデバイス。
【請求項８】
前記固定構造は、粘着部及び粘着ベースを有し、前記粘着部と前記粘着ベースとを組合わせることにより前記スペーサーパッド構造を使用者の掌に固定させることを特徴とする請求項１に記載のバスケットボールのトレーニングに用いられるパームパッドデバイス。
【請求項９】
前記固定構造は、環状式、グローブ式又はＣ型クリップ式であり、前記スペーサーパッド構造を前記使用者の掌に固定させるように構成されたことを特徴とする請求項１に記載のバスケットボールのトレーニングに用いられるパームパッドデバイス。
【請求項１０】
請求項１に記載のバスケットボールのトレーニングに用いられるパームパッドデバイスを利用したバスケットボールトレーニングシステムにおいて、
使用者のゴール状態データを記録するためのバスケットリング検知器と、
前記パームパッドデバイスに設けられ、使用者の掌の移動データを検知し記録するための検知記録器と、
前記バスケットリング検知器及び前記検知記録器からの前記ゴール状態データ及び前記移動データを受信するとともに、前記ゴール状態データ及び前記移動データに対して分析を行うことにより対応するフィードバックイベントを生成するための中央管理設備と、
を備えていることを特徴とするバスケットボールトレーニングシステム。
【発明の詳細な説明】
【技術分野】
【０００１】
本発明は、バスケットボールのトレーニングに用いられるパームパッドデバイス及びバスケットボールトレーニングシステムに関し、より詳しくは、バスケットボールのトレーニングに役立つように使用者が掌（手のひら）に装着できるパームパッドデバイス及び当該パームパッドデバイスを使用したバスケットボールトレーニングシステムに関するものである。
【背景技術】
【０００２】
従来、ボール類のトレーニングは徒手によるものがほとんどであったが、科学技術の進歩に伴い、より好ましいトレーニング効果を得るために、ボール類のトレーニングにおいて補助器具、例えばジャンプ時の瞬発力を強化するための脚部拘束具又は筋持久力を高めるために腕に設けられる補助器具がよく用いられるようになっている。バスケットボールのトレーニングについて言えば、プレイヤーは、ドリブル、パス又はシュートの過程において、いずれも手首の力及び指によってバスケットボールを制御する必要があるが、掌の中心の使用は避けなければならない。このため、バスケットボールの練習を補助するための様々な器具が開発されている。
【先行技術文献】
【特許文献】
【０００３】
【特許文献１】アメリカ特許第ＵＳ２００６／０２７２０７２号
【特許文献２】アメリカ特許第ＵＳ４８０５９０５号
【発明の概要】
【発明が解決しようとする課題】
【０００４】
アメリカ特許第ＵＳ２００６／０２７２０７２号には、掌の中心にパームパッド部材（ｐａｌｍ  ｐａｄ  ｅｌｅｍｅｎｔ）が付設されることにより、トレーニング者はドリブル、ホールディング又はシュートする際に掌（手のひら）の中心がバスケットボールに接触することがないようにするためのバスケットボールのトレーニンググローブが開示されている。ただし、当該バスケットボールのトレーニンググローブのパームパッド部材は特定の形状に設計されているため、調整や変更等ができない。掌のサイズには個人差があるため、このような単一仕様のバスケットボールのトレーニンググローブでは、使用者は最適なトレーニング効果を期待することができない。
【０００５】
また、アメリカ特許第ＵＳ４８０５９０５号には、使用者がシュート時の手首の曲がり具合をトレーニングするためのシュートトレーニング装置が開示されている。ただし、このシュートトレーニング装置は全腕の手首よりの箇所に着装されており、使用者はシュートの練習しかできず、パスやドリブル等のその他のトレーニングを行うことができないため、その機能性は著しく単調で且つ実用的ではない。
【０００６】
従って、バスケットボールの各種トレーニングに適用され、使用者によるドリブル動作及びシュート姿勢のトレーニングを補助するだけでなく、使用者の手部や掌の移動方向の記録を分析することにより、使用者が自分自身のシュートの欠点を認識するとともにそれを直ちに矯正できるようにするための補助装置を如何にして提供するかは、現在解決が待たれる重要な課題となっている。
【０００７】
そこで、以上のとおりの事情に鑑み、本発明は、バスケットボールのトレーニングに用いられ、使用者によるバスケットボールの練習をパームパッドデバイスにより補助するとともに、バスケットボールトレーニングシステムとの組合わせによって対応するフィードバック情報を提供することにより、トレーニング効果を向上させるためのパームパッドデバイス及びバスケットボールトレーニングシステムを提供することを課題とする。
【課題を解決するための手段】
【０００８】
上記の課題を解決するために、本発明は、バスケットボールのトレーニングに役立つように使用者の掌（手のひら）に固定される、バスケットボールのトレーニングに用いられるパームパッドデバイスであって、充気又は排気により、サイズの調整が可能である弾性パッドを有してバスケットボールとの間のスペーサーとなるスペーサーパッド構造と、前記スペーサーパッド構造と組合わせることにより、前記スペーサーパッド構造を前記使用者の掌に固定させるための固定構造と、を備えており、前記弾性パッドは、厚パッド及び幅パッドをさらに備えており、前記厚パッドと前記幅パッドとが一体化されており、且つそれぞれ充気孔及び排気孔を有していることを特徴とするバスケットボールのトレーニングに用いられるパームパッドデバイスを提供する。
【０００９】
また、ある実施例において、本発明に係るバスケットボールのトレーニングに用いられるパームパッドデバイスは、前記固定構造に設けられ、前記掌の移動データを検知し記録するための検知記録器をさらに備えている。
【００１０】
また、ある実施例において、前記検知記録器は、前記掌の移動データを表示させるための表示ユニットをさらに備えている。
【００１１】
また、ある実施例において、前記検知記録器は、検知又は記録された前記移動データを有線伝送又は無線伝送により記録設備に伝送するための伝送ユニットをさらに備えている。
【００１２】
また、ある実施例において、前記検知記録器は、前記移動データに基づいて対応する音声を発するためのスピーカユニットをさらに備えている。
【００１４】
また、ある実施例において、前記スペーサーパッド構造は、手を握った際に前記スペーサーパッド構造の圧縮を緩衝するための緩衝間隙を有し、且つ、前記固定構造は、手を握る際に前記固定構造の圧縮を緩衝するための弾性間隙を有している。
【００１５】
また、本発明は、上述したパームパッドデバイスを利用したバスケットボールトレーニングシステムであって、使用者のゴール状態データを記録するためのバスケットリング検知器と、前記パームパッドデバイスに設けられ、使用者の掌の移動データを検知し記録するための検知記録器と、前記検知記録器及び前記バスケットリング検知器からの前記ゴール状態データ及び前記移動データを受信するとともに、前記ゴール状態データ及び前記移動データに対して分析を行うことにより対応するフィードバックイベントを生成するための中央管理設備と、を備えているバスケットボールトレーニングシステムを提供する。
【００１６】
従来の技術に比して、本発明に係るバスケットボールのトレーニングに用いられるパー
ムパッドデバイスは、使用者が指でバスケットボールのトレーニングを行うことをスペー
サーパッド構造により補助し、且つ前記スペーサーパッド構造が、どんな使用者でもそれ
を掌に適したサイズに調整できるように、厚さや幅の調整を可能にする一体化された厚パッド及び幅パッドを有しているため、トレーニングの効果を向上させることができる。また、このパームパッドデバイスは、使用者の掌の移動状態を検知記録器により検知するとともに、当該検知記録器における複数の機能との組み合わせによって掌の移動状態の記録、データの表示及びリアルタイムの音声の生成を行うようにしてもよい。さらに、本発明に係るバスケットボールトレーニングシステムは、上述したパームパッドデバイスをバスケットリング検知器、検知記録器及び中央管理設備と組合わせることにより、使用者のシュート状態に対して分析を行うことで、より効率的なトレーニング情報を使用者に提供することができる。 
【図面の簡単な説明】
【００１７】
【図１】本発明に係るバスケットボールのトレーニングに用いられるパームパッドデバイス構造の立体図である。
【図２】本発明に係るバスケットボールのトレーニングに用いられるパームパッドデバイスの他の実施例における検知記録器構造の立体図である。
【図３】本発明に係るバスケットボールのトレーニングに用いられるパームパッドデバイスの一実施例における検知記録器システムのブロック図である。
【図４】本発明に係るバスケットボールのトレーニングに用いられるパームパッドデバイスのスペーサーパッド構造の変化例の外観立体図である。
【図５】本発明に係るバスケットボールのトレーニングに用いられるパームパッドデバイスのスペーサーパッド構造の一実施例の外観立体図である。
【図６】本発明に係るバスケットボールのトレーニングに用いられるパームパッドデバイスの固定構造の一実施例の外観立体図である。
【図７】本発明に係るバスケットボールのトレーニングに用いられるパームパッドデバイスの固定構造の具体的な実施例の外観立体図である。
【図８】本発明に係るバスケットボールのトレーニングに用いられるパームパッドデバイスの使用説明図である。
【図９】本発明に係るバスケットボールのトレーニングに用いられるパームパッドデバイスの使用説明図である。
【図１０】本発明に係るバスケットボールトレーニングシステムの一実施例の説明用立体図である。
【発明を実施するための形態】
【００１８】
下記において、特定の具体的な実施例により本発明の実施形態を説明する。この技術分野に精通した者は、本明細書に記載の内容によって簡単に本発明のその他の利点や効果を理解することができる。本発明は、その他の異なる実施例によって施行や応用を加えることが可能である。
【００１９】
図１は、本発明に係るバスケットボールのトレーニングに用いられるパームパッドデバイスの一実施例の構造立体図である。図１に示すように、本発明は、バスケットボールのトレーニングに役立つように使用者の掌に固定される、バスケットボールのトレーニングに用いられるパームパッドデバイスであって、スペーサーパッド構造１と固定構造２とを備える。スペーサーパッド構造１は、サイズの調整を可能にする弾性パッド１１を有する。即ちスペーサーパッド構造１は、その全体がサイズの調整を可能にする弾性又は軟性パッド体からなる。固定構造２は、前記スペーサーパッド構造１と組合わされることにより、前記スペーサーパッド構造１を前記使用者の掌に固定させる。スペーサーパッド構造１の両側には、前記固定構造２が貫通して設けられることで組み合わされてパームパッドデバイスを構成するようにするためにスペーサーパッド構造１を面方向に貫通する貫通孔１２が設けられている。
【００２０】
スペーサーパッド構造１は、使用時には使用者の掌の中心に位置し、その形状は、球状、キノコ状又は長方形であってもよいが、本実施例においては、掌の中心、中心凹部及び手の虎口（親指と人差し指の間の股の部位）等の形状に基づいて製造され、掌の中心位置に設けられるのに適したパッド体構造となっている。この固定構造２は、その横断面形状が方形、円形又は楕円形等の帯状体であり、且つスペーサーパッド構造１の貫通孔１２に通すことでスペーサーパッド構造１を固定させることができる。
【００２１】
従って、こうした設計によって、使用者は、実際の必要に応じて固定構造２を取り替えることができる。ただし、その他の実施例においては、固定構造２は、粘着剤、係止部材又はその他の手段によりスペーサーパッド構造１と組合わせることができる。
【００２２】
一つの具体的な実施例において、スペーサーパッド構造１及び固定構造２は、ゴム、プラスチック、樹脂又はＰＵ（ポリウレタン）等の材質からなってもよい。
【００２３】
パームパッドデバイスの使用時には、使用者の掌がバスケットボールに直接接触することが弾性パッド１１により回避されることで、使用者によるドリブル又はシュートの練習時に指のみで制御されるようになるため、シュート命中率及びドリブルのスムーズさを向上させることができる。
【００２４】
図２は、本発明に係るバスケットボールのトレーニングに用いられるパームパッドデバイスの他の実施例における検知記録器構造の立体図である。図２に示すように、本実施例に係るパームパッドデバイスは、固定構造２２に設けられ、且つ掌の移動データを検知して記録するための検知記録器２３をさらに備えている。検知記録器２３は、パームパッドデバイスが使用者の掌に装着されている際、掌の移動状態の検知や記録を行うことができる。しかも、検知記録器２３は、情報を表示できるデジタルディスプレイ２４、音声を発することができるスピーカ２５及び操作ボタン２６を有している。このため、これらにより、検知記録器２３は、各種の機能を実行し、使用者によるバスケットボールのトレーニングを補助することができる。
【００２５】
図３は、本発明に係るバスケットボールのトレーニングに用いられるパームパッドデバイスの検知記録器のシステムブロック図である。図３に示すように、検知記録器２３は、掌の移動軌跡又は回転速度、即ちシュート時の掌の振動軌跡及び掌の回転速度に対して検知や記録を行うための加速度検知ユニット２３１及び掌と地面によって形成された角度を検知することにより、シュート時の掌の振動角度を取得するための方向検知ユニット２３２を備えている。これら加速度検知ユニット２３１及び方向検知ユニット２３２は、何れか一方のみを備えていてもよい。
【００２６】
使用者は、上記記録データに基づいて自分自身のドリブル又はシュート時の掌の状態を把握し、手部の各種動作をさらにトレーニング・調整することにより、シュート命中率又はドリブルのスムーズさを向上させることができる。
【００２７】
また、検知記録器２３は、表示ユニット２３３と、伝送ユニット２３４と、スピーカユニット２３５とを備えている。表示ユニット２３３は、図２に示すように掌の移動データを表示させるためのデジタルディスプレイ２４である。伝送ユニット２３４は、検知又は記録された移動データを有線伝送又は無線伝送により記録設備に伝送することができるものである。このように、検知されたデータは、検知記録器２３内に記録できる外、さらに伝送ユニット２３４を介して有線又は無線の手段によりその他のデータ処理設備に伝送されることにより、データ記録について統計が取られ、又は周辺の人々がリアルタイムで観測することができる。スピーカユニット２３５は、図２に示すように移動データに基づいて対応する音声を発するためのスピーカ２５である。使用者が掌を移動させた際（ドリブル又はシュートの際）に、スピーカユニット２３５が、対応する音声、例えば励ましの音声又は姿勢の補正が必要であるという音声等を直ちに発することにより、バスケットボールのトレーニングの趣味性を向上させることができる。検知記録器２３のデータの全てが処理ユニット２３６を介して処理されることにより、検知された掌の移動データに対して分析、対比、記録を行い、対応するフィードバック情報を生成することができる。
【００２８】
図４は、本発明に係るバスケットボールのトレーニングに用いられるパームパッドデバイスのスペーサーパッド構造の変化例の外観立体図である。図４に示すように、弾性パッド３１１は、スペーサーパッド構造３１が厚さや幅を調整できるようにするための厚パッド３２及び幅パッド３３をさらに備えている。この厚パッド３２及び幅パッド３３は空気などの気体を充填可能（充気可能）な構造であり、これにより、使用者はスペーサーパッド構造３１のサイズを調整することができ、異なる使用者の掌に適用させることができる。
【００２９】
図４に示すように、厚パッド３２は、当該厚パッド３２に気体を充填するための充気孔３２１を有し、幅パッド３３も、当該幅パッド３３に気体を充填するための充気孔３３１を有している。このため、使用者は、充気チューブを２つの充気孔３２１、３３１の中に挿入し、気体（ガス）を充填することにより、弾性パッド３１１の厚さや幅を調整することができる。また、厚パッド３２及び幅パッド３３はそれぞれ、ガス量を排除又は調整できる排気孔３２２、３３２を有している。これにより、使用者は、弾性パッド３１１の収納（ガスの排気により弾性パッド３１１を縮小させる）やガス量の調整を容易に行うことができる。
【００３０】
また、他の具体的な実施例において、厚パッド３２及び幅パッド３３は、押圧式充気構造であってもよい。ここで、押圧式充気構造とは、押圧式のポンプを厚パッド３２及び幅パッド３３にそれぞれ内蔵させ、ポンプを押圧することにより、それぞれの厚パッド３２及び幅パッド３３にガス（空気）が充填される構造である。使用者は、ガスを押圧式充気構造により弾性パッド３１１に充填することができるため、上述した充気チューブを使用する必要がなく、パームパッドデバイスの使用上の利便性が大幅に向上している。
【００３１】
図５は、本発明に係るバスケットボールのトレーニングに用いられるパームパッドデバイスのスペーサーパッド構造の一実施例の外観立体図である。図５に示すように、スペーサーパッド構造４１は、手を握った際にスペーサーパッド構造の圧縮を緩衝するための間隙である緩衝間隙４１１を有している。より詳しくは、使用者がスペーサーパッド構造４１を掌の中心に設けている状態で手を握った際にスペーサーパッド構造４１を圧迫することによる不快感を回避するために、スペーサーパッド構造４１に緩衝間隙４１１を設置することにより手を握った際の圧迫感を減少させる。また、緩衝間隙４１１の位置や数量は何ら制限されるものではない。
【００３２】
図６は、本発明に係るバスケットボールのトレーニングに用いられるパームパッドデバイスの固定構造の一実施例の外観立体図である。図６に示すように、固定構造４２は、手を握った際に固定構造４２の圧縮を緩衝するための間隙である弾性間隙４２１を有している。換言すれば、固定構造４２が掌に装着されている状態で、掌を振ったり握ったりすると、掌の虎口が収縮してしまい、適当な空隙がなければ使用者は不快に感じることとなる。従って、弾性間隙４２１は、使用者が掌を握った際の圧縮を緩衝する弾性空間として用いられている。また、弾性間隙４２１の位置や数量はなんら制限されるものではない。
【００３３】
図７は、本発明に係るバスケットボールのトレーニングに用いられるパームパッドデバイスの固定構造の具体的な実施例の外観立体図である。図７に示すように、固定構造５２は、固定用の係止部５２１及び対応する係止孔５２２を有し、且つ、係止部５２１に滑り防止機能を有する滑り防止部５２３が設けられている。つまり、固定構造５２は、係止部５２１を介して係止孔５２２に貫設されることにより固定され、且つ係止部５２１の図中裏面側の係止折り線５２４（裏面）が滑り防止部５２３と摩擦し合うことでより良好に固定することができる。
【００３４】
また、他の具体的な実施例において、固定構造５２は、粘着部及び粘着ベースを有し、当該粘着部と当該粘着ベースとを組合わせることで固定するようにしてもよく、これにより、固定作用を得てスペーサーパッド構造を使用者の掌に固定させることができる。一つの例として、固定構造５２を面ファスナー（例えば、マジックテープ：登録商標）の粘着により固定させることができる。
【００３５】
図８は、本発明に係るバスケットボールのトレーニングに用いられるパームパッドデバイスの使用説明図である。図８に示すように、スペーサーパッド構造６１は、固定構造６２により使用者の掌に固定される。しかも、スペーサーパッド構造６１は、掌の形状に基づいて製造され、その厚さや幅のサイズを調整できる充気構造である。また、スペーサーパッド構造６１は、使用者が手を握った際の弾性を得るための緩衝間隙６１１を有している。固定構造６２は、掌の虎口に対応する部位に弾性間隙６２１を有しているため、掌を握った際に押圧力を緩衝させる効果がある。
【００３６】
図９は、本発明に係るバスケットボールのトレーニングに用いられるパームパッドデバイスの他の使用説明図である。図９に示すように、検知記録器６３と固定構造６２は共に手の裏面側に位置している。固定構造６２には係止固定のための滑り防止部６２３が設けられ、検知記録器６３には、使用者に対して対応する情報を表示又は提供できるように、データや状態を表示するためのデジタルディスプレイ６２４と、音声を発するためのスピーカ６２５とが設けられている。
【００３７】
また、本発明に係るパームパッドデバイスの固定構造の形状又は固定方法は何ら限定されるものではない。固定構造は、環状式、グローブ式又はＣ型クリップ式等により具体的に実施されることができる。しかも、スペーサーパッド構造と固定構造とは分離させることができるため、固定構造がスペーサーパッド構造の作用に影響しないように、使用者が必要とする形態に製造することができる。
【００３８】
さらに、本発明のパームパッドデバイスは、バスケットボールシュートのトレーニングに用いられるだけでなく、該パームパッドデバイスが装着された状態で、パスやドリブル等の動作を同時に行うこともできるため、従来のバスケットボールのシュート練習装置又は単なるパームパッド構造の用途をはるかに上回る効果が得られる。
【００３９】
図１０は、本発明に係るバスケットボールトレーニングシステムの一実施例の説明用立体図である。図１０に示すように、本発明に係る前記パームパッドデバイスを利用したバスケットボールトレーニングシステムは、バスケットリング検知器７１と、検知記録器７２と、中央管理設備７３とを備えている。バスケットリング検知器７１は、バスケットボールスタンドのバスケットリング部分に設けられ、使用者のゴール状態データを記録する。検知記録器７２は、パームパッドデバイスに設けられ、使用者の掌の移動データを検知記録する。中央管理設備７３は、バスケットリング検知器７１及び検知記録器７２からのゴール状態データ及び移動データを受信するとともに、ゴール状態データ及び移動データに対して分析を行うことにより対応するフィードバックイベントを生成する。簡単に言えば、バスケットボールトレーニングシステムは、使用者のバスケットシュートトレーニング状態をバスケットリング検知器７１及び検知記録器７２により記録するとともに、周辺の中央管理設備７３に伝送することでデータの統計分析を行うことにより、利用可能なバスケットシュートデータを使用者に提供し、対応するフィードバックイベントを生成する。当該フィードバックイベントは、音声の放送、統計データの表示、または姿勢補正のメッセージを前記パームパッドデバイスに返送することであり、それらの情報をリアルタイムでフィードバックすることにより、より効率のよいトレーニング効果を得ることができる。また、バスケットリング検知器７１は、ゴールの数、角度又は方位を検知することができ、中央管理設備７３は、データの統計、分析、伝送の機能を有しているが、ここでは詳しい内容を省略する。
【００４０】
上述のように、本発明に係るバスケットボールのトレーニングに用いられるパームパッドデバイスは、掌に固定されサイズの調整を可能にするスペーサーパッド構造により、使用者の掌がトレーニングの際にバスケットボールに直接接触することを回避するとともに、スペーサーパッド構造の厚パッド及び幅パッドの調整により、異なる使用者の掌に適用することができる。さらに、パームパッドデバイスは、掌の移動データを検知し記録するための検知記録器を有し、使用者の掌の運用状態を使用者のトレーニングの参考のために記録することができる。また、本発明に係る前記パームパッドデバイスを利用したバスケットボールトレーニングシステムによれば、パームパッドデバイスをバスケットシュートの練習に運用し、バスケットリング検知器及びパームパッドデバイスにおける検知記録器からの情報について分析・統計を行い、情報を使用者にリアルタイムでフィードバックすることにより、バスケットシュートの練習効果を大幅に向上させることができる。
【００４１】
上記のように、これらの実施の形態は本発明の原理および効果・機能を例示的に説明するに過ぎず、本発明は、これらによって何ら限定されるものではない。本発明に係る実質的な技術内容は、特許請求の範囲に定義される。本発明は、この技術分野に精通した者により本発明の主旨を逸脱しない範囲で色々な修正や変更をすることが可能であり、そうした修正や変更は本発明の特許請求の範囲に入るものである。
【符号の説明】
【００４２】
１、３１、４１、６１  スペーサーパッド構造
１１、３１１  弾性パッド
１２、２１２  貫通孔
２、２２、４２、５２、６２  固定構造
２３、６３、７２  検知記録器
２３１  加速度検知ユニット
２３２  方向検知ユニット
２３３  表示ユニット
２３４  伝送ユニット
２３５  スピーカユニット
２３６  処理ユニット
２４、６２４  デジタルディスプレイ
２５、６２５  スピーカ
２６  操作ボタン
３２  厚パッド
３２１、３３１  充気孔
３２２、３３２  排気孔
３３  幅パッド
４１１、６１１  緩衝間隙
４２１、６２１  弾性間隙
５２１  係止部
５２２  係止孔
５２３、６２３  滑り防止部
５２４  係止折り線
７１  バスケットリング検知器
７３  中央管理設備
【図１】
0005431231.tif 000002
【図２】
0005431231.tif 000003
【図３】
0005431231.tif 000004
【図６】
0005431231.tif 000005
【図７】
0005431231.tif 000006
【図８】
0005431231.tif 000007
【図９】
0005431231.tif 000008
【図１０】
0005431231.tif 000009
【図４】
0005431231.tif 000010
【図５】
0005431231.tif 000011